(57)【要約】      （修正有）【課題】塗布液を毛髪や頭、顔の皮膚の必要とする場所へ十分かつ適量塗布することができる。【解決手段】容器本体１０に貯留する液を吐出させて塗布する液塗布用具１であり、液を吐出する吐出ノズル３２と、吐出ノズル３２を押す操作によって容器本体１０に貯留する液を吐出ノズル３２から吐出させるポンプ３１と、液吸入口側に錘３６を有して使用状態に応じて液吸入口を液中に導くポンプ３１に接続された可とう性チューブ３３と、倒立状態において容器本体１０内への外気の流入を遮断し、更に容器本体１０内が負圧となったときに容器本体１０内に外気を流入させる外気導入用逆止弁４０とを備える。【選択図】図１
2016059433.tif 000002
【特許請求の範囲】
【請求項１】
容器本体に貯留する液を吐出させて塗布する液塗布用具であり、
液を吐出する吐出ノズルと、
前記吐出ノズルを押す操作によって液を前記吐出ノズルから吐出させるポンプと、
液吸入口側に錘を有し、前記吐出ノズルを押す使用状態に応じて液吸入口を前記容器本体の液中に位置させて液を前記ポンプに導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具。
【請求項２】
容器本体に貯留する液を吐出させて塗布する液塗布用具であり、
液を吐出する吐出ノズルと、
液吸入口側に錘を有し、前記容器本体を押す使用状態に応じて液吸入口を前記容器本体の液中に位置させて液を前記吐出ノズルに導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具。
【請求項３】
容器本体に貯留する液を吐出させて塗布する液塗布用具であり、
液を吐出する吐出ノズルと、
前記吐出ノズルを押す操作によって液を前記吐出ノズルから吐出させるポンプと、
倒立状態において前記容器本体内への外気の流入を遮断し、更に前記容器本体内が負圧となったときに前記容器本体内に外気を流入させる外気導入用逆止弁と、を備え、
前記吐出ノズルと前記ポンプを、複数個位置したことを特徴とする液塗布用具。
【請求項４】
吐出される液を塗布するブラシまたはコームを備えることを特徴とする請求項１乃至請求項３のいずれか１項に記載の液塗布用具。
【請求項５】
前記外気導入用逆止弁は、
前記容器本体、前記ポンプを覆うカバー、前記吐出ノズル、前記コームまたはブラシを設けた部分、前記コームまたはブラシを設けた部分以外の部分のいずれかに備えることを特徴とする請求項１乃至請求項３のいずれか１項に記載の液塗布用具。
【発明の詳細な説明】
【技術分野】
【０００１】
この発明は育毛剤や整髪料、洗浄剤、化粧剤、美容剤等の塗布液を毛髪や頭、顔の皮膚の必要とする場所へ適量塗布することのできる液塗布用具に関する。
【背景技術】
【０００２】
泡状整髪料等の塗布液を毛髪に塗布するようにしたものとして、特開平１０−３３２６５号公報に開示され、このものはブラシの毛の先端に栓が設けられ、栓を棒状体として、ブラシで頭皮を叩いてマッサージする時に栓が引っ込んで塗布液が塗布される。さらに、頭髪への育毛剤や頭皮痛み保護のトニック液などの塗布液を塗布する点滴用具があり、この点滴用具は瓶口元中栓の中心孔から塗布液を頭髪や頭皮に手で振りかけている。また、特許第４７５３２３３号公報に開示されるものがあり、このものは塗布液を計量室で計量し、押込み棒を頭皮に押し当てたときのみ計量室の塗布液を塗布する。
【先行技術文献】
【特許文献】
【０００３】
【特許文献１】特開平１０−３３２６５号公報
【特許文献２】特許第４７５３２３３号公報
【発明の概要】
【発明が解決しようとする課題】
【０００４】
しかしながら、栓を棒状体としてブラシで頭皮を叩いてマッサージする時に栓が引っ込んで塗布液が塗布されるため、塗布液を十分に塗布することができない。一方、点滴用具では上から下に振って頭部寸前で自分で止めるために振られた反応に反動で頭部に当たり、怪我をしてしまう虞がある。また、振り方加減で塗布液の出が大きくバラつき多く出しすぎると顔にまで流れて刺激が大きい塗布液であるが故に顔皮膚を痛めてしまい、仮に少量だと何回も繰り返しを余技なくされ、頭皮の毛穴に塗布液を浸透させることはできなかった。また、塗布液を計量室で計量し、押込み棒を頭皮に押し当てたときのみ計量室の塗布液を塗布するものは、計量された量しか塗布することができなかった。
【０００５】
この発明はこれら従来の問題点を解消し、簡単な操作で、塗布液を毛髪や頭、顔の皮膚の必要とする場所へ十分かつ適量塗布することができる液塗布用具を提供することを目的とするものである。
【課題を解決するための手段】
【０００６】
前記課題を解決し、かつ目的を達成するために、この発明は、以下のように構成した。
【０００７】
請求項１に記載の発明は、容器本体に貯留する液を吐出させて塗布する液塗布用具であり、
液を吐出する吐出ノズルと、
前記吐出ノズルを押す操作によって液を前記吐出ノズルから吐出させるポンプと、
液吸入口側に錘を有し、前記吐出ノズルを押す使用状態に応じて液吸入口を前記容器本体の液中に位置させて液を前記ポンプに導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具である。
【０００８】
請求項２に記載の発明は、容器本体に貯留する液を吐出させて塗布する液塗布用具であり、  液を吐出する吐出ノズルと、
液吸入口側に錘を有し、前記容器本体を押す使用状態に応じて液吸入口を前記容器本体の液中に位置させて液を前記吐出ノズルに導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具である。
【０００９】
請求項３に記載の発明は、容器本体に貯留する液を吐出させて塗布する液塗布用具であり、
液を吐出する吐出ノズルと、
前記吐出ノズルを押す操作によって液を前記吐出ノズルから吐出させるポンプと、
倒立状態において前記容器本体内への外気の流入を遮断し、更に前記容器本体内が負圧となったときに前記容器本体内に外気を流入させる外気導入用逆止弁と、を備え、
前記吐出ノズルと前記ポンプを、複数個位置したことを特徴とする液塗布用具である。
【００１０】
請求項４に記載の発明は、吐出される液を塗布するブラシまたはコームを備えることを特徴とする請求項１乃至請求項３のいずれか１項に記載の液塗布用具である。
【００１１】
請求項５に記載の発明は、前記外気導入用逆止弁は、
前記容器本体、前記ポンプを覆うカバー、前記吐出ノズル、前記コームまたはブラシを設けた部分、前記コームまたはブラシを設けた部分以外の部分のいずれかに備えることを特徴とする請求項１乃至請求項３のいずれか１項に記載の液塗布用具である。
【発明の効果】
【００１２】
前記構成により、この発明は、以下のような効果を有する。
【００１３】
請求項１に記載の発明では可とう性チューブは、液吸入口側に錘を有し、吐出ノズルを押す使用状態に応じて液吸入口を容器本体の液中に位置させ、吐出ノズルを塗布しようとする部位に押し付ける操作によってポンプが作動して容器本体に貯留する液を吐出ノズルから吐出させることで、いかなる使用状態においても簡単な操作で、液を毛髪や頭、顔の皮膚の必要とする場所へ十分かつ適量塗布することができる。
【００１４】
請求項２に記載の発明では可とう性チューブは液吸入口側に錘を有し、容器本体を押す使用状態に応じて液吸入口を容器本体の液中に位置させ、容器本体を押し圧することによって貯留する液を吐出ノズルに導き吐出させ、いかなる使用状態においても簡単な操作で、液を毛髪や頭、顔の皮膚の必要とする場所へ十分かつ適量塗布することができる。
【００１５】
請求項３に記載の発明では液を吐出する吐出ノズルと、吐出ノズルを押す操作によって液を吐出ノズルから吐出させるポンプを複数個位置しており、使用状態においていずれかの吐出ノズルとポンプが作動して確実かつ簡単な操作で、液を毛髪や頭、顔の皮膚の必要とする場所へ十分かつ適量塗布することができる。
【００１６】
請求項４に記載の発明では吐出される液を塗布するブラシまたはコームを備えることで、液を吐出させながらブラシまたはコームによりブラシング及び掻きながら液を毛髪や頭、顔の皮膚の必要とする場所へ十分かつ適量塗布することができる。
【００１７】
請求項５に記載の発明では外気導入用逆止弁は容器本体、ポンプを覆うカバー、吐出ノズル、コームまたはブラシを設けた部分、コームまたはブラシを設けた部分以外の部分のいずれかに備えることで、いかなる使用状態においても液を毛髪や頭、顔の皮膚の必要とする場所へ十分かつ適量塗布することができる。
【図面の簡単な説明】
【００１８】
【図１】第１の実施の形態の液塗布用具の断面図である。
【図２】液塗布用具の使用状態を示す断面図である。
【図３】第２の実施の形態の液塗布用具の構成を示す図である。
【図４】液塗布用具の使用状態を示す図である。
【図５】第３の実施の形態の液塗布用具の構成を示す図である。
【図６】第４の実施の形態の液塗布用具の構成を示す図である。
【図７】第５の実施の形態の液塗布用具の構成を示す図である。
【図８】第６の実施の形態の液塗布用具の構成を示す図である。
【図９】第７の実施の形態の液塗布用具の構成を示す図である。
【図１０】第８の実施の形態の液塗布用具の構成を示す図である。
【図１１】第９の実施の形態の液塗布用具の構成を示す図である。
【図１２】第１０の実施の形態の液塗布用具の構成を示す図である。
【図１３】他のポンプの構成を示す図である。
【図１４】他のポンプの構成を示す図である。
【図１５】他のポンプの構成を示す図である。
【図１６】他の外気導入用逆止弁の構成を示す図である。
【図１７】他の外気導入用逆止弁の構成を示す図である。
【図１８】他の外気導入用逆止弁の構成を示す図である。
【図１９】他の外気導入用逆止弁の構成を示す図である。
【図２０】外気導入用逆止弁の配置を示す図である。
【発明を実施するための形態】
【００１９】
以下、この発明の液塗布用具の実施の形態について説明する。この発明の実施の形態は、発明の最も好ましい形態を示すものであり、この発明はこれに限定されない。この液塗布用具は、育毛剤や整髪料、洗浄剤、化粧剤、美容剤等の液を貯留しており、これらの液を適量塗布するものである。
【００２０】
（第１の実施の形態）
この実施の形態の液塗布用具は図１及び図２に示すように構成され、図１は液塗布用具の断面図、図２は液塗布用具の使用状態を示す断面図である。この液塗布用具１は容器本体１０とキャップ２０を有し、容器本体１０にキャップ２０が着脱可能になっている。容器本体１０には液を吐出させる吐出部３０が備えられ、容器本体１０に貯留する液を吐出部３０から吐出させて塗布するように構成される。
【００２１】
容器本体１０は合成樹脂で成形され、容器開口部１０ａには容器カバー１１が取り付けられている。容器カバー１１は塗布台座１２で覆われており、この塗布台座１２にはブラシ１３が埋め込まれている。容器カバー１１にはキャップ２０が着脱可能になっている。
【００２２】
吐出部３０はポンプ３１と吐出ノズル３２と可とう性チューブ３３とを有する。ポンプ３１はシリンダ３１ａとピストン３１ｂとピストンロッド３１ｃとを備え、このポンプ３１は容器カバー１１とポンプハウジング３４に組み付けられている。このポンプハウジング３４は容器カバー１１に組み付けられている。
【００２３】
シリンダ３１ａにはピストン３１ｂが摺動可能に組み付けられ、このピストン３１ｂに組み付けられたピストンロッド３１ｃにはプレート３１ｄが固定されている。プレート３１ｄの先端部には吐出ノズル３２が固定され、プレート３１ｄとシリンダ３１ａの間にはスプリング３１ｅが設けられ、スプリング３１ｅは吐出ノズル３２を常に吐出方向へ付勢している。
【００２４】
ピストン３１ｂには液通路３１ｂ１が形成され、この液通路３１ｂ１は開閉弁３１ｆにより開閉される。吐出ノズル３２には吐出通路３２ａが形成され、この吐出通路３２ａにはプレート３１ｄに形成された通路３１ｄ１を介してポンプ３１の作動によりポンプ室３８から液が供給される。
【００２５】
シリンダ３１ａには可とう性チューブ３３が接続され、シリンダ３１ａに内部には、可とう性チューブ３３の接続部に液吐出用逆止弁３５が設けられている。可とう性チューブ３３は樹脂、ゴムで成形され、液吸入口側に錘３６を有しており、錘３６の重さによって使用状態に応じて液吸入口３３ａを常に液中に導くことができる。可とう性チューブ３３は樹脂で成形される。この樹脂材としては、例えば熱可塑性樹脂であり、ポリオレフィン系樹脂、ポリスチレン系樹脂、ポリ塩化ビニル樹脂、ポリ塩化ビニリデン、ポリビニルアルコール系樹脂、ポリアクリルニトリル樹脂、ポリアクリル酸樹脂、ジェン系樹脂、ポリアミド系樹脂、ポリエステル系樹脂、ポリカーボネート、ポリアセタール、フッ素系樹脂、ポリウレタン系樹脂等である。ポリオレフィン系樹脂としては、ポリエチレン、ポリプロピレン、４−メチルペンテン−１、ポリブテン−１、直鎖状低密度ポリエチレン等である。ポリビニルアルコール系樹脂としては、エチレン−ビニルアルコールコポリマー、エチレン−酢酸ビニルコポリマー、シンジオタクチックポリビニルアルコール等がある。ジェン系樹脂としてはポリブタジェン系、ポリイソプレン系、環化ジェン系等である。この可とう性チューブ３３はパイプ、あるいは蛇腹で屈曲可能に成形される。
【００２６】
ポンプハウジング３４には外気導入用逆止弁４０が設けられている。この外気導入用逆止弁４０は弁体４０ａと錘４０ｂから構成され、弁体４０ａがポンプハウジング３４に形成された孔３４ａに移動可能に設けられ、弁体４０ａに固定した錘４０ｂが容器本体１０の内側に位置し、弁体４０ａの弁部４０ａ１が容器本体１０の外側に位置している。弁体４０ａには連通孔４０ａ２が形成され、この連通孔４０ａ２は容器本体１０の内部と容器カバー１１に形成された外部連通路１１ａを連通し、正立状態において容器本体１０内への外気の流入を遮断せず、倒立状態において容器本体１０内への外気の流入を遮断し、更に容器本体１０内が負圧となったときに容器本体１０内に外気を流入させるように構成される。
【００２７】
次に、この実施の形態の液塗布用具１の使用を図２に基づいて説明する。図２（ａ）は使用前の正立状態を示し、図２（ｂ）は使用時の倒立状態を示す。この液塗布用具１を使用しないときには図１に示すようにキャップ２０を閉じた状態であり、吐出ノズル３２の先端がキャップ２０の内壁に密接してポンプ３１が作動することはなく、容器本体１０の内部の液が吐出することはない。この正立状態においては図２（ａ）に示すように外気導入用逆止弁４０は、弁体４０ａの連通孔４０ａ２が容器本体１０の内部と容器カバー１１に形成された外部連通路１１ａを連通しており、容器本体１０内への外気の流入を遮断していない。
【００２８】
育毛剤や整髪料などを頭部に塗布するなどの使用時にはキャップ２０を取り外し、図２（ｂ）に示すように倒立状態に吐出ノズル３２の先端部を頭部１００に当てることで、吐出ノズル３２が押し上げられてスプリング３１ｅに抗して移動する。この吐出ノズル３２の移動によってピストンロッド３１ｃを介してピストン３１ｂが摺動し、シリンダ３１ａのポンプ室３８に溜まる液に圧力がかかり、これにより液吐出用逆止弁３５が閉じてポンプ室３８に溜まる液の圧力が上昇して開閉弁３１ｆが開く。これにより、ポンプ室３８の液がピストン３１ｂの液通路３１ｂ１を通り、通路３１ｄ１から吐出ノズル３２の吐出通路３２ａに導かれて吐出する。
【００２９】
吐出ノズル３２の先端部を頭部１００に当てることを止めると、スプリング３１ｅにより吐出ノズル３２が吐出方向へ移動し、これに連動してピストンロッド３１ｃを介してピストン３１ｂが移動し、開閉弁３１ｆが閉じる。これにより、シリンダ３１ａのポンプ室３８の圧力が低下して負圧になり、液吐出用逆止弁３５が開き可とう性チューブ３３を介して容器本体１０の液がシリンダ３１ａのポンプ室３８に吸入される。再度、吐出ノズル３２の先端部を頭部１００に当てることで、同様に吐出ノズル３２は押し上げにより移動し、シリンダ３１ａのポンプ室３８に溜まる液に圧力がかかり、これにより液吐出用逆止弁３５が閉じてポンプ室３８に溜まる液の圧力が上昇し、ポンプ室３８の液がピストン３１ｂの液通路３１ｂ１を通り、通路３１ｄ１から吐出ノズル３２の吐出通路３２ａに導かれて吐出する。
【００３０】
この育毛剤や整髪料などを頭部に塗布するなどの使用時には、液塗布用具１は倒立状態であり、容器本体１０の液が吐出部側に溜まるが、可とう性チューブ３３は液吸入口側に錘３６を有しているから、使用状態で液吸入口３３ａを吐出部側に溜まる液中に導き、液吸入口３３ａが液外に出ることはない。
【００３１】
この液塗布用具１の倒立状態では容器本体１０の吐出部３０が下方を向いていることから外気導入用逆止弁４０は錘４０ｂによって弁体４０ａが下方に移動して弁体４０ａの連通孔４０ａ２を閉じ、倒立状態において容器本体１０内への外気の流入を遮断する。更に、倒立状態で液を吐出させるポンプ３１の作動により、シリンダ３１ａのポンプ室３８の圧力が低下して負圧になり、液吐出用逆止弁３５が開き可とう性チューブ３３を介して容器本体１０の液がポンプ室３８に吸入され、容器本体１０内が負圧となる。このようにして負圧なったときに、外気導入用逆止弁４０の錘４０ｂが負圧によって持ち上がり、弁体４０ａの連通孔４０ａ２が開き、容器本体１０内に外気を流入させ、これによって倒立状態で液を吐出させるポンプ３１の作動を可能にする。
【００３２】
このように、外気導入用逆止弁４０は正立状態において容器本体１０内への外気の流入を遮断せず、倒立状態において容器本体１０内への外気の流入を遮断し、更に容器本体１０内が負圧となったときに容器本体１０内に外気を流入させる。可とう性チューブ３３は液吸入口側に錘３６を有し、使用状態に応じて液吸入口３３ａを液中に導く。このため、吐出ノズル３２を塗布しようとする部位に押し付ける操作によってポンプ３１が作動して容器本体１０に貯留する液を吐出ノズル３２から吐出させ、いかなる使用状態においても液を毛髪や頭、顔の皮膚の必要とする場所へ十分かつ適量塗布することができる。また、吐出ノズル３２により液を掃くようにして散らし、頭皮に接して刺激し、液を毛髪や頭、顔の皮膚の必要とする場所へ適量塗布することができ、かつ頭皮に接して刺激を与えることが可能である。また、吐出ノズル３２が液を吐出させる際に頭皮に接して刺激し、液を毛髪や頭、顔の皮膚の必要とする場所へ適量塗布することができ、かつ頭皮に接して刺激を与えることが可能である。このようにして、頭皮、毛の生え際に液を直接塗布して地肌に擦り込み、液を散らしながら肌表面を刺激し、かつマッサージするなどを行う。
【００３３】
（第２の実施の形態）
この実施の形態の液塗布用具１は、図３及び図４に示すように構成され、図３は液塗布用具の断面図、図４は液塗布用具の使用状態を示す断面図である。この液塗布用具１は、第１の実施の形態と同様に構成されるが、容器本体１０が長い円筒形状であり、手で容易に持つことができるように構成される。さらに、塗布台座１２にはブラシに代えてコーム１４が一体に形成されているが、ブラシでもよい。
【００３４】
外気導入用逆止弁４０は可とう性部材で形成された構成であり、可とう性部材として樹脂又はゴムを使用する。この外気導入用逆止弁４０はハット形に成形されており、基部に取付部４０ｆを有し、吐出先に開閉するスリット４０ｇを有する。取付部４０ｆはポンプハウジング３４に嵌合して取り付けられており、スリット４０ｇは容器本体１０の内部側に位置している。
【００３５】
図４（ｂ）に示すように液塗布用具１の倒立状態では容器本体１０の吐出部３０が下方を向いていることから外気導入用逆止弁４０は液の圧力によってスリット４０ｇが閉じており、容器本体１０内への外気の流入を遮断する。さらに、倒立状態で液を吐出させるポンプ３１の作動により、シリンダ３１ａのポンプ室３８の圧力が低下して負圧になり、液吐出用逆止弁３５が開き可とう性チューブ３３を介して容器本体１０の液がポンプ室３８に吸入され、容器本体１０内が負圧となる。この負圧になったときに、外気導入用逆止弁４０のスリット４０ｇが負圧によって開き、容器本体１０内に外気を流入させ、これによって倒立状態で液を吐出させるポンプ３１の作動を可能にする。
【００３６】
このように、外気導入用逆止弁４０は図４（ａ）に示す正立状態においてスリット４０ｇが閉じ、容器本体１０内への外気の流入を遮断している。図４（ｂ）に示す倒立状態において容器本体１０内への外気の流入を遮断し、さらに容器本体１０内が負圧となったときに容器本体１０内に外気を流入させる。このスリット４０ｇは１箇所又は複数の箇所に設けることができ、スリット４０ｇの形状は、十字、Ｙ字、Ｘ字、星字等にすることができ特に限定されない。
【００３７】
（第３の実施の形態）
この実施の形態の液塗布用具１は図５に示すように構成され、図５は液塗布用具の断面図である。この液塗布用具１の容器本体１０は可とう性部材で形成された構成であり、可とう性部材としては樹脂が用いられる。この樹脂材としては例えば熱可塑性樹脂であり、ポリオレフィン系樹脂、ポリスチレン系樹脂、ポリ塩化ビニル樹脂、ポリ塩化ビニリデン、ポリビニルアルコール系樹脂、ポリアクリルニトリル樹脂、ポリアクリル酸樹脂、ジェン系樹脂、ポリアミド系樹脂、ポリエステル系樹脂、ポリカーボネート、ポリアセタール、フッ素系樹脂、ポリウレタン系樹脂等である。ポリオレフィン系樹脂としては、ポリエチレン、ポリプロピレン、４−メチルペンテン−１、ポリブテン−１、直鎖状低密度ポリエチレン等である。ポリビニルアルコール系樹脂としてはエチレン−ビニルアルコールコポリマー、エチレン−酢酸ビニルコポリマー、シンジオタクチックポリビニルアルコール等がある。ジェン系樹脂としてはポリブタジェン系、ポリイソプレン系、環化ジェン系等である。この容器本体１０はボトル横押しボトル（スクイズタイプ）や蛇腹ボトルでも全ボトルに対応が可能である。
【００３８】
この容器本体１０には吐出部３０が設けられ、この吐出部３０の吐出ノズル３２には吐出通路３２ａと、外気導入通路５６が形成されている。吐出通路３２ａには可とう性チューブ３３が接続され、この可とう性チューブ３３は液吸入口側に錘５４を有している。また、液吸入口３３ａには、液の吐出を可能にする液吐出用逆止弁５５が設けられている。この液吐出用逆止弁５５はハット形に成形されており、基部に取付部５５ａを有し、吐出先に開閉するスリット５５ｂを有する。取付部５５ａは液吸入口３３ａに嵌合して取り付けられており、スリット５５ｂは可とう性チューブ３３の内部側に位置している。
【００３９】
吐出ノズル３２の外気導入通路５６には外気導入用逆止弁４０が設けられている。この外気導入用逆止弁４０はハット形に成形されており、基部に取付部４０ｆを有し、吐出先に開閉するスリット４０ｇを有する。取付部４０ｆは外気導入通路５６に嵌合して取り付けられており、スリット４０ｇは容器本体１０の内部側に位置している。液吐出用逆止弁５５及び外気導入用逆止弁４０には１箇所又は複数の箇所にスリットを設けた構成であり、このスリットの形状は十字、Ｙ字、Ｘ字、星字等にすることができ特に限定されない。
【００４０】
育毛剤や整髪料などを頭部に塗布するなどの使用時には吐出部３０が下方に位置するように倒立状態にすると、吐出部側を底にして液が溜まり、可とう性チューブ３３の液吸入口側が錘５４によって吐出部側に移動する。この倒立状態では外気導入用逆止弁４０が容器本体１０内への外気の流入を遮断しており、しかも容器本体１０の内部の液が外気導入用逆止弁４０から漏れることはない。
【００４１】
この倒立状態において片方の手で容器本体１０を持って握り締めると、容器本体１０の内部に溜まる液にかかる圧力によって液吐出用逆止弁５５のスリット５５ｂが開き、液が可とう性チューブ３３を介して吐出通路３２ａに導かれて吐出ノズル３２から吐出する。このとき、外気導入用逆止弁４０は容器本体１０の内部の液にかかる圧力によって閉じており、液が外気導入用逆止弁４０から漏れることはない。
【００４２】
容器本体１０を持っている握りを緩めると、容器本体１０が元の形状に復帰しようとすることで容器本体１０の内部が負圧になるが、液吐出用逆止弁５５のスリット５５ｂは閉じており、外気が吐出ノズル３２の吐出通路３２ａから可とう性チューブ３３を介して容器本体１０の内部に吸入されることはない。一方、容器本体１０が元の形状に復帰しようとすることで容器本体１０の内部が負圧になり、外気導入用逆止弁４０のスリット４０ｇが開き、外気が外気導入通路５６から容器本体１０の内部に吸入され、容器本体１０が元の形状に復帰する。再度、容器本体１０を持って握り締めると、同様にして容器本体１０の内部に溜まる液にかかる圧力によって液吐出用逆止弁５５のスリット５５ｂが開き、液が可とう性チューブ３３を介して吐出通路３２ａに導かれて吐出ノズル３２から吐出することを繰り返す。
【００４３】
このように、外気導入用逆止弁４０により、倒立状態において容器本体１０内への外気の流入を遮断し、さらに容器本体１０内が負圧となったときに器本体内に外気を流入させる。可とう性チューブ３３は液吸入口側に錘５４を有しており、使用状態に応じて液吸入口３３ａを液中に導く。したがって、倒立状態において容器本体１０を押し圧することによって貯留する液を吐出ノズル３２に導くことができ、容器本体１０に貯留する液を吐出ノズル３２から吐出させ、いかなる使用状態においても液を毛髪や頭、顔の皮膚の必要とする場所へ十分かつ適量塗布することができる。
【００４４】
（第４の実施の形態）
この実施の形態の液塗布用具１は図６に示すように構成され、図６（ａ）は使用前の状態を示し、図６（ｂ）は使用状態を示す。この液塗布用具１は吐出部３０が第２の実施の形態と同様に構成されるが、外気導入用逆止弁４０が浮き９０に設けられている。浮き９０には、可とう性チューブ９１が接続され、この可とう性チューブ９１により容器本体１０の内部に外気が外気導入用逆止弁４０を介して導入される。浮き９０は中空胴、あるいはスポンジや発泡体などで成形され、たとえば浮後端に重りをつけて吸出出口が必ず上を向き液が浸入しないように構成される。液吐出用逆止弁５５及び外気導入用逆止弁４０は第３の実施の形態と同様に構成される。
【００４５】
（第５の実施の形態）
この実施の形態の液塗布用具１は図７に示すように構成され、図７（ａ）は概略構成を示す断面図、図７（ｂ）は概略構成を示す平面図である。この液塗布用具１は吐出部３０が第１の実施の形態と同様に構成されるが、液を吐出する吐出ノズル８０と吐出ノズル８０を押す操作によって液を吐出ノズル８０から吐出させるポンプ８１とを複数個位置した構成である。この実施の形態では、吐出ノズル８０とポンプ８１は第１の実施の形態と同様に構成されるが、これに限定されない。また、吐出ノズル８０とポンプ８１は、吐出ノズル３２を中心にして周囲に４個配置されているが、これに限定されず複数個配置されていればよい。吐出ノズル８０とポンプ８１を複数個位置していることで、塗布すべき部位への押す力にバラツキが生じても吐出ノズル３２に限ることなく、いずれかの吐出ノズル８０を押すことができる。このように、使用状態において、中心に位置する吐出ノズル３２とポンプ３１に限ることなく、いずれかの吐出ノズル８０とポンプ８１が作動して確実かつ簡単な操作で、液を毛髪や頭、顔の皮膚の必要とする場所へ十分かつ適量塗布することができる。
【００４６】
（第６の実施の形態）
この実施の形態の液塗布用具１は図８に示すように構成され、図８（ａ）は概略構成を示す断面図、図８（ｂ）は概略構成を示す平面図である。この液塗布用具１は、吐出部３０が第１の実施の形態と同様に構成され、吐出ノズル３２とポンプ３１を備えるが、ポンプ３１に可とう性チューブを接続しない構成である。第５の実施の形態と同様に液を吐出する吐出ノズル８０と吐出ノズル８０を押す操作によって液を吐出ノズル８０から吐出させるポンプ８１とを複数個位置した構成である。この実施の形態も第５の実施の形態と同様に使用状態において、中心に位置する吐出ノズル３２とポンプ３１に限ることなく、いずれかの吐出ノズル８０とポンプ８１が作動して確実かつ簡単な操作で、液を毛髪や頭、顔の皮膚の必要とする場所へ十分かつ適量塗布することができる。
【００４７】
（第７の実施の形態）
この実施の形態の液塗布用具１は図９に示すように構成され、図９（ａ）は液塗布用具の斜視図、図９（ｂ）は液塗布用具の断面図、図９（ｃ）は液塗布用具の平面図である。この液塗布用具１は第１の実施の形態と同様に容器本体１０が合成樹脂でボトル状に成形されるが、吐出ノズル３２の先端部には吐出通路３２ａが複数個開口している。この液塗布用具１の使用は吐出ノズル３２の先端部を例えば頭部に押してけるとポンプ３１が駆動し、複数個開口した吐出通路３２ａから液が拡散して吐出し、ブラシ１３により頭の毛髪や頭の皮膚の必要とする場所へ十分かつ適量塗布することができる。
【００４８】
（第８の実施の形態）
この実施の形態の液塗布用具１は図１０に示すように構成され、図１０（ａ）は液塗布用具の斜視図、図１０（ｂ）は液塗布用具の断面図、図１０（ｃ）は液塗布用具の平面図である。この液塗布用具１は第７の実施の形態と同様に構成されるが、ブラシに代えてコーム１４が台と一体に形成されている。この液塗布用具１の使用は吐出ノズル３２の先端部を例えば頭部に押してけるとコーム１４が屈曲してポンプ３１が押されて駆動し、複数個開口した吐出通路３２ａから液が拡散して吐出する。このポンプ３１を押して吐出することを止め、コーム１４により頭の毛髪や頭の皮膚の必要とする場所へ十分かつ適量塗布することができる。
【００４９】
（第９の実施の形態）
この実施の形態の液塗布用具１は図１１に示すように構成され、図１１（ａ）は液塗布用具の斜視図、図１１（ｂ）は液塗布用具の断面図、図１１（ｃ）は液塗布用具の使用状態を示す図である。この液塗布用具１は第８の実施の形態と同様に構成されるが、足部９０を台９１から長く延びるように一体に形成している。この液塗布用具１の使用は足部９０を頭部に押し付けると足部９０が曲がり、吐出ノズル３２の先端部が頭部１００に押されてポンプ３１が駆動し、複数個開口した吐出通路３２ａから液が拡散して吐出し、足部９０により頭の毛髪や頭の皮膚の必要とする場所へ十分かつ適量塗布すると共に、マッサージすることができる。
【００５０】
（第１０の実施の形態）
この実施の形態の液塗布用具は図１２に示すように構成される。図１２（ａ）は液塗布用具の側面図、図１２（ｂ）は液塗布用具の塗布側から見た図、図１２（ｃ）は液塗布用具の使用状態を示す図である。
【００５１】
この実施の形態の液塗布用具１は容器本体１０２に貯留する液を吐出させて塗布するように構成され、液を吐出する吐出ノズル１０３と、容器本体１０２に貯留する液を吐出ノズル１０３から吐出させるポンプ１０４と、吐出ノズル１０３から吐出する液を塗布する塗布部１０５とを備えている。塗布部１０５は吐出ノズル１０４を中心として周囲に延びる複数本の可とう性材料で成形された刺激部１０６を有し、刺激部１０６には吸盤１０６ａが形成されている。
【００５２】
この実施の形態の液塗布用具１は例えば液を頭部に塗布する場合に容器本体１０２を持って塗布部１０５の刺激部１０６を頭部に被せ、吐出ノズル１０３を頭部に押し付けるとポンプ１０４が駆動して容器本体１０２の液が吐出ノズル１０３から吐出し頭部に拡散塗布される。押し付けを止めると液の吐出が停止され、再度の押し付けにより吐出ノズル１０３から吐出し頭部に拡散塗布され、この繰り返して刺激部１０６の吸盤１０６ａにより塗布箇所をマッサージすることができる。
【００５３】
（他のポンプの構成）
次に、他のポンプの構成を図１３乃至図１５に基づいて説明する。図１３に示す実施の形態について説明すると図１３（ａ）は初期状態を示し、図１３（ｂ）は押し状態を示し、図１３（ｃ）は戻し状態を示す。ポンプ部８０は、ポンプ本体８０ａに、液パイプ８０ｂはシール材８０ｃ，８０ｄを介して移動可能に支持されている。液パイプ８０ｂには中棒８０ｅが挿入され、中棒８０ｅの端部に弁部８０ｅ１が形成され、この弁部８０ｅ１はシール材８０ｄに形成された導入通路８０ｄ１を開閉する。中棒８０ｅには、軸方向に液溝８０ｅ２が形成され、導入通路８０ｄ１から導入された液を液パイプ８０ｂに形成されたパイプ通路８０ｂ１に導く。ポンプ本体８０ａには、開閉弁８０ｆが形成されている。液パイプ８０ｂの鍔部８０ｂ２とシール材８０ｄとの間には、スプリング８０ｇが設けられ、液パイプ８０ｂに設けられた中棒８０ｅの弁部８０ｅ１は、シール材８０ｄの導入通路８０ｄ１を閉じるように付勢する。液パイプ８０ｂと中棒８０ｅは一体に移動するように組み付けられている。
【００５４】
図１３（ａ）の初期状態では、スプリング８０ｇにより液パイプ８０ｂが付勢され、中棒８０ｅの弁部８０ｅ１はシール材８０ｄの導入通路８０ｄ１を閉じると共に、開閉弁８０ｆが閉じている。液パイプ８０ｂが押された図１３（ｂ）の押し状態では、液パイプ８０ｂと共に、中棒８０ｅが移動して弁部８０ｅ１は、シール材８０ｄの導入通路８０ｄ１を開く。この中棒８０ｅの移動によりパイプ内液室８０ｈの液の圧力が上昇し、開閉弁８０ｆが閉じ、液が導入通路８０ｄ１に導入される。液は、中棒８０ｅの液溝８０ｅ２から液パイプ８０ｂのパイプ通路８０ｂ１を通り、吐出する。
【００５５】
液パイプ８０ｂを押すことが解除されると、液パイプ８０ｂが初期状態に戻り、図１３（ｃ）の戻し状態では、液パイプ８０ｂと共に、中棒８０ｅが移動して戻り、弁部８０ｅ１がシール材８０ｄの導入通路８０ｄ１を閉じ。この中棒８０ｅの移動によりパイプ内液室８０ｈの液の圧力が下がり、開閉弁８０ｆが開き、パイプ内液室８０ｈに液が導入される。液パイプ８０ｂが押されると、図１３（ｂ）の押し状態になり、液が中棒８０ｅの液溝８０ｅ２から液パイプ８０ｂのパイプ通路８０ｂ１を通り吐出し、この繰り返しにより液を毛髪や頭、顔の皮膚の必要とする場所へ適量塗布することができる。
【００５６】
図１４に示す実施の形態について説明すると図１４（ａ）は初期状態を示し、図１４（ｂ），  （ｃ）は使用状態を示す。このポンプ部１１０は吐出通路１１１、中棒部材１１２及び付勢手段１１３を有し、吐出通路１１１は内壁１１０ａに形成した内側通路１１１ａと先端部１１０ｂに形成した吐出側通路１１１ｂから構成される。
【００５７】
この中棒部材１１２は樹脂で棒状に形成され、押し上げにより移動して吐出通路１１１を開き液を吐出させる導き機能を有し、押し上げによる中棒部材１１２の移動に応じて液の吐出量を変化させる。この実施の形態では中棒部材１１２は弁部１１２ａと鍔部１１２ｂとを有し、弁部１１２ａは内側通路１１１ａを開閉する。付勢手段１１３は中棒部材１１２を内側通路１１１ａを閉じ方向に付勢し、中棒部材１１２の押し上げ力に対して負荷を与える構成であり、この実施の形態ではバネ１１３ａが用いられる。バネ１１３ａは一端部を鍔部１１２ｂに固定し、他端部を内壁１１０ａに固定して設けられ、中棒部材１１２の中棒先端部１１２ｃが先端部１１０ｂから突出し、かつ弁部１１２ａが内側通路１１１ａを閉じる方向へ常に付勢する。この実施の形態では付勢手段１１３をバネ１１３ａで構成しているが、これに限定されず伸縮する樹脂を用いて構成してもよい。
【００５８】
この実施の形態の液塗布用具の使用について説明する。図１４（ａ）の初期状態ではバネ１１３ａが伸びて弁部１１２ａが内側通路１１１ａを閉じるために、液は吐出しない。そして、液塗布用具を頭部の上方に持ち上げて図１４（ｂ）に示すようにポンプ部１１０を下方に向けて中棒先端部１１２ｃを頭部に押し付けて押すことで、バネ１１３ａが縮み中棒部材１１２は押し上げにより移動して弁部１１２ａが内側通路１１１ａを開き、液が内側通路１１１ａを流下し、さらに吐出側通路１１１ｂに流れ込み、中棒先端部１１２ｃの周囲が案内となって液を定量吐出させることができる。さらに、図１４（ｃ）に示すように、使用者が中棒先端部１１２ｃを頭皮に押し当て、中棒部材１１２を押し上げると、この押し上げによる中棒部材１１２の移動に応じて弁部１１２ａが内側通路１１１ａをさらに開き、液が内側通路１１１ａをさらに流下することで液の吐出量を変化させることができる。
【００５９】
図１５に示す実施の形態について説明すると図１５（ａ）はキャップを開いた状態を示し、図１５（ｂ）は使用時に液が吐出する状態を示し、図１５（ｃ）は使用時に液が吐出しない状態を示す。このポンプ部２１０は液を貯留する液室２１１、導入通路２１２、吐出通路２１３を有する。導入通路２１２は液を液室２１１に導入し、吐出通路２１３は液室２１１の液を吐出させる。ポンプ部１０に備えられる棒部材２１４は吐出通路２１３を開閉する吐出制御弁２１４ａと、導入通路２１２を開閉する導入制御弁２１４ｂを有し、付勢手段２１５によって吐出制御弁２１４ａが吐出通路２１３を閉じ、導入制御弁２１４ｂが導入通路２１２を開くように付勢する。導入制御弁２１４ｂは棒部材２１４の後端部を小径にして形成したテーパ部によって構成される。
【００６０】
使用時にキャップを取り外しポンプ部２１０の蓋を外した状態にすると棒部材２１４が付勢手段２１５によって押し上げと反対方向に移動し、吐出制御弁２１４ａが吐出通路１３を閉じ、導入制御弁２１４ｂが導入通路１２を開き、平常状態とする（図１５（ａ））。この平常状態では棒部材２１４は吐出制御弁２１４ａが吐出通路２１３を閉じ、導入制御弁２１４ｂが導入通路２１２を開き、液が導入通路２１２を通り液室２１１に導入される。この液は吐出通路２１３から吐出不可能であり、液室２１１に溜まる。
【００６１】
育毛剤や整髪料などを頭部に塗布するなどの使用時には棒部材２１４の先端部を頭部に当てることで、棒部材２１４は押し上げにより移動して吐出制御弁２１４ａが吐出通路２１３を開き液室２１１の液の吐出を開始し、導入制御弁２１４ｂが導入通路２１２を閉じるまで液の吐出を続ける（図１５（ｂ））。導入制御弁２１４ｂが導入通路２１２を閉じると、吐出制御弁２１４ａが吐出通路２１３を開いているが、液貯蔵部２２０から液が導入通路２１２を通り液室２１１に導入されることがないから液室２１１の液は吐出通路２１３から吐出することはない（図１５（ｃ））。
【００６２】
このように、棒部材２１４は平常状態では吐出制御弁２１４ａが吐出通路２１３を閉じ、導入制御弁２１４ｂが導入通路２１２を開き、液の吐出が不可能であり、使用時に棒部材２１４が押し上げにより移動すると、吐出制御弁２１４ａが吐出通路２１３を開き液の吐出を開始し、導入制御弁２１４ｂが導入通路２１２を閉じるまで液の吐出を続け、この開始から閉じるまでで吐出量が決まる。したがって揮発の内気圧、自重、空気との交換の何れにも影響されることなく、液の適量吐出が可能である。
【００６３】
（外気導入用逆止弁の構成）
次に、第１の実施の形態乃至第１０の実施の形態には外気導入用逆止弁４０が備えられているが、他の実施の形態の外気導入用逆止弁を用いてもよい。この外気導入用逆止弁の構成を、図１６乃至図１９に基づいて説明する。図１６の実施の形態は図１及び図２に示す実施の形態と同様に構成されるが、弁体４０ａがスプリング４０ｇによって、図１６（ａ）に示す正立状態において外気の流入を遮断せず、図１６（ｂ）に示す倒立状態において外気の流入を遮断する。
【００６４】
図１７の実施の形態では外気導入用逆止弁４０の通路４０ｈが容器本体１０に形成され、小径路４０ｈ１と、大径路４０ｈ２と、弁室４０ｈ３とから形成されている。大径路４０ｈ２から弁ボール４０ｈ４が弁室４０ｈ３に挿入され、大径路４０ｈ２には切り欠き４０ｈ５が形成されている。図１７（ａ）に示す正立状態において、弁ボール４０ｈ４が大径路４０ｈ２を塞いでいるが、切り欠き４０ｈ５によって外気の流入を遮断せず、図１７（ｂ）に示す倒立状態において弁ボール４０ｈ４が小径路４０ｈ１を塞ぎ外気の流入を遮断する。
【００６５】
図１８の実施の形態では容器本体１０に外気導入用逆止弁４０が設けられ、外気導入用逆止弁４０は、ハット状の弁体４０ｉを有する。この弁体４０ｉは小径路４０ｉ１と、大径路４０ｉ２と、弁室４０ｉ３とを有し、大径路４０ｉ２から弁ボール４０ｉ４が弁室４０ｉ３に挿入され、大径路４０ｉ２には切り欠き４０ｉ５が形成されている。図１８（ａ）に示す正立状態において弁ボール４０ｉ４が大径路４０ｉ２を塞いでいるが、切り欠き４０ｉ５によって外気の流入を遮断せず、図１８（ｂ）に示す倒立状態において弁ボール４０ｉ４が小径路４０ｉ１を塞ぎ外気の流入を遮断する。図１９の実施の形態では図１８の実施の形態と同様に構成されるが、スプリング４０ｉ６によって、図１９（ａ）に示す正立状態において、弁ボール４０ｉ４が小径路４０ｉ１と大径路４０ｉ２を塞ぐことがないように保持され、外気の流入を遮断せず、図１９（ｂ）に示す倒立状態においてスプリング４０ｉ６によって弁ボール４０ｉ４が小径路４０ｉ１を塞ぎ外気の流入を遮断する。
【００６６】
（外気導入用逆止弁の配置）
次に、外気導入用逆止弁の配置を図２０に基づいて説明する。図３０（ａ）の実施の形態では外気導入用逆止弁４０を吐出ノズル３２の先端部分に吐出口３２ａと併設している。図３０（ｂ）の実施の形態では外気導入用逆止弁４０を吐出ノズル３２の近傍に設ける。図３０（ｃ）の実施の形態では外気導入用逆止弁４０をブラシ１３を設ける部分に設け、図３０（ｄ）の実施の形態ではコーム１４を設ける部分に設ける。図３０（ｅ）の実施の形態では外気導入用逆止弁４０をブラシ１３を設ける部分から外れた部分に設け、図３０（ｆ）の実施の形態ではコーム１４を設ける部分から外れた部分に設けている。
【００６７】
このように、外気導入用逆止弁４０はポンプを覆うカバー、吐出ノズル、コームまたはブラシを設けた部分、あるいはコームまたはブラシを設けた部分から外れた部分に設けることができ、いかなる使用状態においても液を毛髪や頭、顔の皮膚の必要とする場所へ十分かつ適量塗布することができる。
【産業上の利用可能性】
【００６８】
この発明は育毛剤や整髪料、洗浄剤、化粧剤、美容剤等の塗布液を毛髪や頭、顔の皮膚の必要とする場所へ適量塗布することのできる液塗布用具に適用でき、塗布液を毛髪や頭、顔の皮膚の必要とする場所へ十分かつ適量塗布することができる。
【符号の説明】
【００６９】
１  液塗布用具
１０  容器本体
１１  容器カバー
１２  塗布台座
１３  ブラシ
１４  コーム
２０  キャップ
３０  吐出部
３１，８１  ポンプ
３２，８０  吐出ノズル
３３，９１  可とう性チューブ
３４  ポンプハウジング
３５，５５  液吐出用逆止弁
３６，５４  錘
３８  ポンプ室
４０  外気導入用逆止弁
【図１】
2016059433.tif 000003
【図２】
2016059433.tif 000004
【図３】
2016059433.tif 000005
【図４】
2016059433.tif 000006
【図５】
2016059433.tif 000007
【図６】
2016059433.tif 000008
【図７】
2016059433.tif 000009
【図８】
2016059433.tif 000010
【図９】
2016059433.tif 000011
【図１０】
2016059433.tif 000012
【図１１】
2016059433.tif 000013
【図１２】
2016059433.tif 000014
【図１３】
2016059433.tif 000015
【図１４】
2016059433.tif 000016
【図１５】
2016059433.tif 000017
【図１６】
2016059433.tif 000018
【図１７】
2016059433.tif 000019
【図１８】
2016059433.tif 000020
【図１９】
2016059433.tif 000021
【図２０】
2016059433.tif 000022